(57)【要約】【課題】少ない記録容量で、必要な車両情報を効率よく記録することができる車両用情報記録装置を提供する。【解決手段】記録制御部８は、揮発性メモリ６に記録されている各種車両情報を、車両の衝突が判定されていない通常走行後にイグニッションスイッチ２０がオフされたときと、車両の衝突が判定されたときとで異なる形式で抽出し、抽出した車両情報を選択的に不揮発性メモリ７に記録する。これにより、大容量の不揮発性メモリ７を用いることなく、必要な車両情報を効率よく記録することができる。【選択図】図２
2010085234.tif 000002
【特許請求の範囲】
【請求項１】
車両の衝突判定を行う衝突判定手段と、
イグニッションスイッチがオンされているときの各種車両情報を逐次時系列的に記録する揮発性記録手段と、
前記揮発性記憶手段に記憶されている車両情報から抽出された所定の車両情報を記録する不揮発性記録手段と、
前記揮発性記録手段から前記不揮発性記録手段への車両情報の記録を制御する記録制御手段とを備え、
前記記録制御手段は、車両の衝突が判定されていない通常走行後にイグニッションスイッチがオフされたときと車両の衝突が判定されたときとで前記不揮発性記録手段に記録されている車両情報をそれぞれ異なる形式で抽出し、抽出した車両情報を前記不揮発性記録手段に選択的に記録させることを特徴とする車両用情報記録装置。
【請求項２】
前記記録制御手段は、衝突と判定され得る衝撃未満の衝撃であって予め設定された以上の衝撃が検出されたとき、当該タイミングでの車両情報を前記揮発性記録手段から抽出して前記不揮発性記録手段に記録させることを特徴とする請求項１記載の車両用情報記録装置。
【発明の詳細な説明】
【技術分野】
【０００１】
本発明は、車両事故発生時に当該事故発生前後の車両情報を時系列的に記録するイベントデータレコーダとしての機能を備えた車両用情報記録装置に関する。
【背景技術】
【０００２】
従来より、自動車等の車両に搭載される情報記録装置においては、例えば、ドライバに対する教育のための情報収集や、商用車の運行管理を行うための情報収集、車両システムの診断を行うための情報収集等の目的に応じて、それぞれ必要とされる各種車両情報を所定のタイミングで適宜記録する機能を備えたものが提案されている。
【０００３】
さらに、情報記録装置においては、車両衝突が発生した際に、当該衝突前後の一定時間の車両情報を時系列的に記録するイベントデータレコーダ（ＥＤＲ）としての機能を備えたものが提案されている（例えば、特許文献１参照）。
【特許文献１】特開２００７−１２６０１４号公報
【発明の開示】
【発明が解決しようとする課題】
【０００４】
ところで、近年、ＥＤＲにおいては、規格化された所定の形式で車両情報を記録することへの要請が高まっている。そして、ＥＤＲ用の記録形式が規格化された場合、例えば、加速度や速度変化は勿論のこと、アクセルペダルやブレーキペダルの踏み込み量、エンジンスロットル開度、エアバッグの作動状況等の多岐に亘る項目の車両情報を短いサンプリング周期（例えば、３０ｍｓｅｃ）毎に所定時間記録する等、多くの情報量の記録を課せられることが予測される。
【０００５】
その一方で、ドライバの教育や車両診断等に供する各車両情報は、ＥＤＲ用のものと記録形式（記録する情報の項目やサンプリング周期等）が一致しない場合が多く、その傾向は、ＥＤＲ用の記録形式が規格化された場合に特に顕著となる。従って、情報記録装置を複数の用途に対応させるためには、用途毎に個別の形式で車両情報を記録する必要性が高くなり、不揮発性メモリ等に膨大な記録容量を必要とする等、製造コストの高騰等を招来する虞があった。
【０００６】
本発明は上記事情に鑑みてなされたもので、少ない記録容量で、必要な車両情報を効率よく記録することができる車両用情報記録装置を提供することを目的とする。
【課題を解決するための手段】
【０００７】
本発明は、車両の衝突判定を行う衝突判定手段と、イグニッションスイッチがオンされているときの各種車両情報を逐次時系列的に記録する揮発性記録手段と、前記揮発性記憶手段に記憶されている車両情報から抽出された所定の車両情報を記録する不揮発性記録手段と、前記揮発性記録手段から前記不揮発性記録手段への車両情報の記録を制御する記録制御手段とを備え、前記記録制御手段は、車両の衝突が判定されていない通常走行後にイグニッションスイッチがオフされたときと車両の衝突が判定されたときとで前記不揮発性記録手段に記録されている車両情報をそれぞれ異なる形式で抽出し、抽出した車両情報を前記不揮発性記録手段に選択的に記録させることを特徴とする。
【発明の効果】
【０００８】
本発明の車両用情報記録装置によれば、少ない記録容量で、必要な車両情報を効率よく記録することができる。
【発明を実施するための最良の形態】
【０００９】
以下、図面を参照して本発明の形態を説明する。図面は本発明の一実施形態に係わり、図１は情報記録装置の概略構成を示す機能ブロック図、図２は車両情報記録制御ルーチンを示すフローチャートである。
【００１０】
図１において、符号１は車両に搭載される情報記録装置を示す。本実施形態において、この情報記録装置１は、例えば、車両衝突時の衝撃から乗員を保護する乗員保護システムに組み込まれて要部が構成されている。具体的には、情報記録装置１は、例えば、エアバッグシステム５０に組み込まれて要部が構成されている。
【００１１】
図１に示すように、エアバッグシステム５０は、例えば、複数のエアバッグ本体（例えば、運転席エアバッグ本体５１ａ、助手席エアバッグ本体５１ｂ、右サイドエアバッグ本体５１ｃ、及び、左サイドエアバッグ本体５１ｄ）５１と、これらエアバッグ本体５１の作動制御を行うエアバッグ制御ユニット５２とを有する。
【００１２】
各エアバッグ本体５１は図示しない駆動回路を有し、駆動回路は、制御ユニット５２からの駆動信号が入力されると、図示しないインフレータを駆動させてエアバッグを展開させる（乗員保護装置を作動させる）。なお、本実施形態において、各エアバッグ本体５１は、制御ユニット５２から入力される駆動信号に応じて、エアバッグを段階的に展開させることが可能となっている。
【００１３】
エアバッグ制御ユニット５２には、例えば、車両前方からの衝撃力を検出する前方加速度センサ５５ａ、車両略中央において各方向からの衝撃力を検出する中央加速度センサ５５ｂ、車両右側方からの衝撃力を検出する右側方加速度センサ５５ｃ、車両左側方からの衝撃力を検出する左側方加速度センサ５５ｄ等の各種加速度センサ５５が接続され、これら各センサからの検出信号が車両情報として入力される。
【００１４】
さらに、エアバッグ制御ユニット５２には、エンジン制御ユニット（ＥＧＩ）６０ａ、トランスミッション制御ユニット（ＴＣＵ）６０ｂ、統合ユニット（統合ＥＣＵ）６０ｃ等の各種制御ユニット６０がＣＡＮ等の回線６１を介して接続され、これら制御ユニット６０を通じて各種車両情報が入力される。具体的には、エアバッグ制御ユニット５２には、車速センサ、スロットル開度センサ、アクセルペダルセンサ、ブレーキペダルセンサ（何れも図示せず）等の各種スイッチ・センサ類から検出信号が各制御ユニット６０を通じて入力される。また、エアバッグ制御ユニット５２には、各制御ユニット６０において演算される各システムの診断結果等が入力される。
【００１５】
エアバッグ制御ユニット５２は、各加速度センサ５５等からの信号に基づいて各エアバッグ本体５１に対する駆動信号を生成するエアバッグ制御部５と、イグニッションスイッチ２０のオン時に各種車両情報を逐次時系列的に記録する揮発性記録手段としての揮発性メモリ６と、揮発性メモリ６に記録されている車両情報の中から所定の車両情報を記録する不揮発性記録手段としての不揮発性メモリ７と、揮発性メモリ６から不揮発性メモリ７への車両情報の記録等を制御する記録制御手段としての記録制御部８と、を有して要部が構成されている。
【００１６】
ここで、エアバッグ制御ユニット５２には、例えば、大型のコンデンサ等から構成されるバックアップ用電源９が内蔵されている。そして、バックアップ用電源９が内蔵されることにより、イグニッションスイッチ２０のオフ時は勿論のこと、車両衝突時等において、バッテリ２１からの通電が遮断された場合にも、所定時間の間、エアバッグ制御ユニット５２内の各部には電力が供給される。すなわち、バッテリ２１からの通電が遮断された後も、所定時間の間、揮発性メモリ６は記録した車両情報を保持するとともに、記録制御部８は不揮発性メモリ７に対する記録制御等を行うことが可能となっている。
【００１７】
エアバッグ制御部５は衝突判定手段としての機能を有し、このエアバッグ制御部５には、例えば、各加速度センサ５５で検出された加速度等の車両情報が揮発性メモリ６を介して入力される。エアバッグ制御部５は、例えば、各加速度センサ５５で検出された加速度のベクトル和等に基づいて衝突判定値Ｃｖを演算し、この衝突判定値Ｃｖが予め設定された閾値（第１の閾値Ｃｖ１）以上であるとき車両の衝突を判定する。そして、エアバッグ制御部５は、車両の衝突を判定すると、各エアバッグ本体５１に対する駆動信号を生成する。その際、エアバッグ制御部５は、衝突判定値Ｃｖの応じて段階的に異なる駆動信号を生成するようになっており、これにより、各エアバッグ本体５１はエアバッグを段階的に展開させる。
【００１８】
揮発性メモリ６には、各加速度センサ５５等からの信号が直接的に入力される。また、揮発性メモリ６には、各制御ユニット６０に接続する各種スイッチ・センサ類からの信号が間接的に入力されるとともに、各制御ユニット６０で適宜行われる故障診断の診断結果等の信号が入力される。さらに、揮発性メモリ６には、エアバッグ制御部５から各エアバッグ本体５１に対する制御情報等の信号が入力される。揮発性メモリ６は、各種入力信号に対応する複数の記録領域を有する記録媒体で構成され、入力された各種信号を対応する記録領域に車両情報として記録する。本実施形態において、揮発性メモリ６は、イグニッションスイッチ２０がオンされているとき、記録制御部８からの制御信号に従って、例えば、エアバッグ制御ユニット５２に入力される全ての項目の車両情報を、過去設定時間Ｔに亘り、予め設定されたサンプリング周期Ｃ０（例えば、３０ｍｓｅｃ）毎に逐次更新しながら時系列的に記録する。
【００１９】
不揮発性メモリ７は、記録制御部８からの制御信号に従い、揮発性メモリ６から所定の形式で抽出された車両情報を記録する。
【００２０】
この不揮発性メモリ７は、基本的には、イグニッションスイッチ２０がオフされたとき、揮発性メモリ６に記録されている車両情報の中から、予め設定された第１の形式に従って所定の車両情報を抽出し、記録する。具体的には、不揮発性メモリ７は、イグニッションスイッチ２０がオフされたとき、例えば、揮発性メモリ６に記録さている車両情報のデータ群から、全項目の車両情報を、過去設定時間Ｔ１（例えば、Ｔ１＜Ｔ０）に亘り、設定サンプリング周期Ｃ１（例えば、Ｃ１＞Ｃ０）毎に抽出して記録する。また、不揮発性メモリ７は、例えば、イグニッションスイッチ２０がオフされる前であっても、衝突と判定され得る衝撃未満の衝撃であって予め設定された以上の衝撃が検出されたとき（すなわち、車両の所定以上の急加減速が検出されたとき）、当該タイミングにおける全項目の車両情報を、揮発性メモリ６に記録されている車両情報のデータ群から抽出し、記録する。このように、本実施形態において、衝突が判定されることなくイグニッションスイッチ２０がオフされた場合、例えば、ドライバに対する教育や運行管理、車両システムの診断等に有効な車両情報を漏れなく記録すべく、不揮発性メモリ７には、揮発性メモリ６に記録されている全項目の車両情報が比較的長いサンプリング周期Ｃ１毎に抽出されて記録される。
【００２１】
その一方で、イグニッションスイッチ２０がオンされている走行中に、エアバッグ制御部５において衝突が判定されると、不揮発性メモリ７は、現在記録してる車両情報を消去するとともに、揮発性メモリ６に記録されている車両情報の中から、予め設定された第２の形式に従って所定の車両情報を抽出し、記録する。具体的には、不揮発性メモリ７は、車両の衝突が判定されたとき、例えば、揮発性メモリ６に記録されている車両情報のデータ群から、特に、衝突の原因究明等のために必要な項目の車両情報を、衝突の前後設定時間Ｔ２（例えば、Ｔ２＜Ｔ０）に亘り、設定サンプリング周期Ｃ２（例えば、Ｃ２＝Ｃ０）毎に抽出し、記録する。すなわち、車両の衝突が判定された場合、当該衝突解析に特化した詳細な車両情報を記録するため、不揮発性メモリ７には、揮発性メモリ６に記録されている各項目の車両情報のデータ群の中から、例えば、衝突前後の設定時間内における加速度、速度変化、アクセルペダルやブレーキペダルの踏み込み量、エンジンスロットル開度、エアバッグの作動状況等に係る各項目の車両情報が短いサンプリング周期毎に抽出されて記録される。
【００２２】
次に、記録制御部８において行われる車両情報記録制御について、図２に示す情報記録制御ルーチンのフローチャートに従って説明する。
【００２３】
このルーチンはイグニッションスイッチ２０がオンされることによってスタートされるもので、ルーチンがスタートすると、記録制御部８は、先ず、ステップＳ１０１において、新たな記録領域を確保すべく、不揮発性メモリ７に記録されている車両情報を消去する。
【００２４】
続くステップＳ１０２において、記録制御部８は、現在、エアバッグ制御ユニット５２に入力されている全車両情報を揮発性メモリ６に記録する。ここで、揮発性メモリ６には各タイミングにおける各車両情報が時系列的に記録されるようになっており、この揮発性メモリ６の記録容量を超えた場合、記録制御部８は、最も古い車両情報を消去して新たな車両情報を記録する。
【００２５】
そして、ステップＳ１０３に進むと、記録制御部８は、エアバッグ制御部５から衝突判定値Ｃｖを入力し、続くステップＳ１０４において、この衝突判定値Ｃｖが第１の閾値Ｃｖ１以上であるか否かを調べる。ここで、上述のように、第１の閾値Ｃｖ１は、車両が衝突したか否かを判定するための閾値であり、衝突判定値Ｃｖが第１の閾値Ｃｖ１以上である場合には、車両が衝突したことが判定される。
【００２６】
ステップＳ１０４において、衝突判定値Ｃｖが第１の閾値Ｃｖ１未満でり車両が衝突していないと判定すると、記録制御部８はステップＳ１０５に進み、衝突判定値Ｃｖが予め設定された第２の閾値Ｃｖ２（Ｃｖ２＜Ｃｖ１）以上であるか否かを調べる。ここで、第２の閾値Ｃｖ２は、例えば、車両が衝突したとの判定に至らないまでも、車両のシステム異常等を誘発し得る衝撃が車体に作用したか否かを判定するための閾値であり、衝突判定値Ｃｖが第２の閾値以上である場合には、車両に所定の衝撃が作用したことが判定される。
【００２７】
ステップＳ１０５において、衝突判定値Ｃｖが第２の閾値Ｃｖ２以上であると判定すると、記録制御部８は、ステップＳ１０６に進み、揮発性メモリ６に記録されている車両情報のデータ群から、現在のタイミングにおける全項目の車両情報を抽出し、抽出した車両情報を不揮発性メモリ７に記録した後、ステップＳ１０８に進む。
【００２８】
一方、ステップＳ１０５において、衝突判定値Ｃｖが第２の閾値Ｃｖ２未満であると判定すると、記録制御部８は、ステップＳ１０７に進み、イグニッションスイッチ２０がオフされたか否かを調べる。
【００２９】
そして、ステップＳ１０７において、イグニッションスイッチ２０がオフされたと判定した場合、記録制御部８は、ステップＳ１０８に進む。
【００３０】
ステップＳ１０６或いはステップＳ１０７からステップＳ１０８に進むと、記録制御部８は、上述のステップＳ１０２において最新の車両情報を記録してから設定時間ｔが経過したか否かを調べ、未だ設定時間ｔが経過していないと判定した場合、そのまま待機する。
【００３１】
一方、ステップＳ１０８において、設定時間ｔが経過したと判定した場合、記録制御部８は、ステップＳ１０２に戻る。ここで、設定時間ｔ（すなわち、待機時間）は、例えば、３０ｍｓｅｃに設定されており、これにより、揮発性メモリ６には、３０ｍｓｅｃのサンプリング周期Ｃ０毎に新たな車両情報が逐次時系列的に記録される。
【００３２】
また、ステップＳＳ１０７において、イグニッションスイッチ２０がオフされたと判定した場合、記録制御部８は、ステップＳ１０９に進み、揮発性メモリ６に記録されている車両情報のデータ群から、全項目の車両情報を、過去設定時間Ｔ１に亘り、設定サンプリング周期Ｃ１毎に抽出して、不揮発性メモリ７に記録した後、ルーチンを終了する。
【００３３】
また、ステップＳ１０４において、衝突判定値Ｃｖが第１の閾値Ｃｖ１以上であり車両が衝突したと判定すると、記録制御部８は、ステップＳ１１０に進み、不揮発性メモリ７に記録されている車両情報（すなわち、ステップＳ１０６において記録された車両情報等）を消去した後、ステップＳ１１１に進む。
【００３４】
そして、ステップＳ１１１において、記録制御部８は、揮発性メモリ６に記録されている車両情報のデータ群から、衝突の原因究明等のために必要な項目の車両情報を、衝突の前後設定時間Ｔ２に亘り、設定サンプリング周期Ｃ２毎に抽出して、不揮発性メモリ７に記録した後、ルーチンを終了する。
【００３５】
これにより、車両が衝突したことを判定することなくイグニッションスイッチ２０がオフされた場合、不揮発性メモリ７には、過去設定時間Ｔ１に亘りサンプリング周期Ｃ１毎に抽出した全項目の車両情報が記録される。さらに、衝突と判定されるまでには至らないまでも所定以上の衝撃が車体に作用した場合、不揮発性メモリ７には、当該タイミングにおける全項目の車両情報が適宜付加的に記録される。一方、イグニッションスイッチ２０のオン中に車両が衝突したことが判定された場合、不揮発性メモリ７には、上述の形式（第１の形式）で抽出した車両情報に代えて、衝突の前後設定時間Ｔ２に亘りサンプリング周期Ｃ２毎に抽出した特定の項目の詳細な車両情報が記録される。
【００３６】
このような実施形態によれば、揮発性メモリ６に記録されている各種車両情報を、車両の衝突が判定されていない通常走行後にイグニッションスイッチ２０がオフされたときと、車両の衝突が判定されたときとで異なる形式で抽出し、抽出した車両情報を選択的に不揮発性メモリ７に記録することにより、大容量の不揮発性メモリ７を用いることなく、必要な車両情報を効率よく記録することができる。特に、衝突時の車両情報を規格化された所定の形式で記録する必要が生じた場合にも、各場面に応じた有用な車両情報を少ない記録容量で的確に記録することができる。
【００３７】
なお、各場面で情報記録装置１に記録される車両情報の項目や形式等については、上述のものに限定されるものではなく、用途等に応じて適宜変更可能であることは勿論である。
【図面の簡単な説明】
【００３８】
【図１】情報記録装置の概略構成を示す機能ブロック図
【図２】車両情報記録制御ルーチンを示すフローチャート
【符号の説明】
【００３９】
１  …  情報記録装置
５  …  エアバッグ制御部（衝突判定手段）
６  …  揮発性メモリ（揮発性記録手段）
７  …  不揮発性メモリ（不揮発性記録手段）
８  …  記録制御部（記録制御手段）
９  …  バックアップ用電源
２０  …  イグニッションスイッチ
２１  …  バッテリ
５０  …  エアバッグシステム
５１  …  エアバッグ本体
５１ａ  …  運転席エアバッグ本体
５１ｂ  …  助手席エアバッグ本体
５１ｃ  …  右サイドエアバッグ本体
５１ｄ  …  左サイドエアバッグ本体
５２  …  アバッグ制御ユニット
５２  …  制御ユニット
５２  …  エアバッグ制御ユニット
５５  …  各種加速度センサ
５５ａ  …  前方加速度センサ
５５ｂ  …  中央加速度センサ
５５ｃ  …  右側方加速度センサ
５５ｄ  …  左側方加速度センサ
６０  …  種制御ユニット
６１  …  回線
【図１】
2010085234.tif 000003
【図２】
2010085234.tif 000004